(57)【要約】【課題】耐入力の向上を図ると共に、作業性に優れた小型の細長形スピーカを提供することを目的とする。【解決手段】結合部材１３は振動板２に接合する前段部１３ａとボイスコイルボビン４に接合する後段部１３ｂとを備え、前段部１３ａは細長形状で、前段部１３ａの短径側の長さは振動板２の短径側の長さと同じ、または小さく、後段部１３ｂの内径は振動板３の短径側の長さよりも大きい形状を有し、直線部２２ｂを介して後段部１３ｂと接合し直線部２２ｂと後段部２２ｃとの接合箇所に曲面部２２ｃを形成する。これにより結合部材１３を介してボイスコイルボビン４を振動板２に接合するため、ボイスコイル径を大きくでき、曲面部２２ｃの形成によって接合強度を向上できるため耐入力の向上が図れると共に、作業効率を向上できる。【選択図】図２
2012257096.tif 000002
【特許請求の範囲】
【請求項１】
フレームと、細長形状の振動板と、内周部が前記振動板に接合し、外周部が前記フレームに接合するエッジと、ボイスコイルボビンに巻回され、前記振動板を振動させるボイスコイルと、磁気回路と、を備えたスピーカにおいて、
前記振動板に接合し前記ボイスコイルを巻回した前記ボイスコイルボビンに接合する結合部材と、一端が前記結合部材に接合し他端がダンパー支持体に接合してなる可動部とからなるダンパー構造体を備え、
前記結合部材は前記振動板に接合する前段部と、該前段部に接合し前記ボイスコイルを巻回した前記ボイスコイルボビンに接合する後段部とを備え、
前記結合部材の前記前段部は細長形状であって、前記前段部の短径側の長さは前記振動板の短径側の長さと同じ、または小さく、前記後段部の内径は前記振動板の短径側の長さよりも大きい形状を有し、
前記可動部はダンパーとして機能し、前記可動部は前記可動部に連接する直線部を介して前記後段部と接合し、前記直線部と前記後段部との接合箇所に曲面部を形成してなることを特徴とするスピーカ。
【請求項２】
前記曲面部は前記直線部に形成されてなることを特徴とする請求項１に記載のスピーカ。
【請求項３】
前記直線部は前記後段部の端面と接合してなることを特徴とする請求項１または２に記載のスピーカ。
【請求項４】
前記直線部は前記後段部の外周面と接合してなることを特徴とする請求項１または２に記載のスピーカ。
【請求項５】
前記可動部は波型にて構成されてなることを特徴とする請求項１乃至４のいずれか１項に記載のスピーカ。
【請求項６】
前記結合部材と前記ダンパー構造体が樹脂の射出成型にて一体に形成される際に、前記曲面部も同時に形成されてなることを特徴とする請求項１乃至５のいずれか１項に記載のスピーカ。
【発明の詳細な説明】
【技術分野】
【０００１】
本発明はスピーカに関し、特に楕円形状やトラック形状などの細長形のスピーカに関する。  
【背景技術】
【０００２】
スピーカは家庭用音響機器、車載用音響機器だけでなく、パーソナルコンピュータ、携帯電話、ゲーム機器やさまざまな電子機器に広く使用されている。電子機器は小型化、薄型化が進んでおり、これらの小型化や薄型化に際してはスピーカも同様に小型化、薄型化が必要になるため、スピーカに対してもより一層の小型化、薄型化および高性能化が求められている。高性能化としては、音質が優れている他に、高耐入力が求められている。電子機器の小型化、薄型化に伴い、スピーカも限られた空間に設置する必要性があり、細長い空間の場合にはスピーカも細長い形状とする必要がある。高耐入力とするためには、ボイスコイル径を大きくする必要があるが、細長形のスピーカは短径寸法が限られるため、ボイスコイル径を大きくできず、高耐入力とすることが難しい。細長形のスピーカは短径寸法を変えずにボイスコイル径を大きくすると、振動板のエッジ幅が小さくなり、振動板の振幅が制限される結果、再生帯域が狭くなるという問題がある。
【０００３】
このような細長形のスピーカにおいて、ボイスコイルの上端を切り欠いて振動板の短径側に非結合部を設けることにより振動板のエッジ幅を確保して再生帯域を広くできると共に、ボイスコイルの大径を図り、耐入力を向上させたスピーカが提案されている（例えば、特許文献１参照）。
【０００４】
特許文献１に記載のスピーカは、トラック形の振動板の短径側において、ボイスコイルの上端を切り欠くことによって非結合部を設けた構成である。この結果、ボイスコイル径を大きくしても非結合部によってボイスコイル駆動時にボイスコイルとエッジとの衝突が防止できるため、スピーカの耐入力を向上することができる。
【先行技術文献】
【特許文献】
【０００５】
【特許文献１】特許第３９５６４８５号公報
【発明の概要】
【発明が解決しようとする課題】
【０００６】
しかしながら、特許文献１に記載のスピーカは、ボイスコイルの上端を切り欠く作業が必要であると共に、ボイスコイルと振動板との接合に際し、所定の位置合わせが必要となり、作業効率がよくないという問題がある。
【０００７】
本発明は上記の問題に鑑み、耐入力の向上を図る共に、作業性に優れた小型の細長形スピーカを提供することを目的とする。
【課題を解決するための手段】
【０００８】
上記課題を解決するために本発明に係るスピーカは、フレームと、細長形状の振動板と、内周部が前記振動板に接合し、外周部が前記フレームに接合するエッジと、ボイスコイルボビンに巻回され、前記振動板を振動させるボイスコイルと、磁気回路と、を備えたスピーカにおいて、
前記振動板に接合し前記ボイスコイルを巻回した前記ボイスコイルボビンに接合する結合部材と、一端が前記結合部材に接合し他端がダンパー支持体に接合してなる可動部とからなるダンパー構造体を備え、
前記結合部材は前記振動板に接合する前段部と、該前段部に接合し前記ボイスコイルを巻回した前記ボイスコイルボビンに接合する後段部とを備え、
前記結合部材の前記前段部は細長形状であって、前記前段部の短径側の長さは前記振動板の短径側の長さと同じ、または小さく、前記後段部の内径は前記振動板の短径側の長さよりも大きい形状を有し、
前記可動部はダンパーとして機能し、前記可動部は前記可動部に連接する直線部を介して前記後段部と接合し、前記直線部と前記後段部との接合箇所に曲面部を形成してなることを特徴とする。
【０００９】
この構成によれば、結合部材を介してボイスコイルを巻回したボイスコイルボビンを振動板に接合できるため、ボイスコイル径を大きくできると共に、結合部材と可動部とを強固に接合できるため耐入力の向上を図ることができ、かつボイスコイルボビンの接合が容易にできるため作業性に優れた小型の細長形スピーカが提供される。
【発明の効果】
【００１０】
本発明によれば、耐入力の向上を図ると共に、作業性に優れた小型の細長形スピーカを提供することができる。
【図面の簡単な説明】
【００１１】
【図１】本発明の実施例１の形態に係るスピーカの分解斜視図である。
【図２】図１に示すダンパー構造体を示す斜視図である。
【図３】振動板にダンパー構造体を接合した状態を説明するための図である。
【図４】図３に示す図にボイスコイルを巻回したボイスコイルボビンを装着した状態を示す図である。
【図５】本発明の実施例２の形態に係るスピーカにおけるダンパー構造体を示す斜視図である。
【図６】本発明の実施例２の形態に係るスピーカの短径方向断面図である。
【図７】図６に示すＡ部拡大図である。
【発明を実施するための形態】
【００１２】
以下、図面に基づいて本発明の実施形態について説明する。
【００１３】
＜実施例１＞
図１は本発明の実施例１の形態に係るスピーカの分解斜視図、図２は図１に示すダンパー構造体を示す斜視図、図３は振動板にダンパー構造体を接合した状態を説明するための図、図４は図３に示す図にボイスコイルを巻回したボイスコイルボビンを装着した状態を示す図である。
【００１４】
図１に示すように、本発明の一実施形態に係るスピーカ１は細長形スピーカで、ボイスコイル４ａを２個備えた構成である。２は細長形状の振動板で、振動板２の外周部にはエッジ３が形成されている。６はフレーム、２１はダンパー構造体、４はボイスコイルボビンで、ボイスコイルボビン４にはボイスコイル４ａが巻回されている。磁気回路７はポールピース９、マグネット１０、ポットヨーク１２から構成されている。そして、ボイスコイル４ａが巻回されたボイスコイルボビン４と磁気回路７がダンパー構造体２１に取り付けられ、振動板２とダンパー構造体２１がフレーム６に装着されてスピーカ１が構成されている。
【００１５】
図２に示すように、ダンパー構造体２１は樹脂を用いた射出成型にて形成され、振動板２の裏面に接合する前段部１３ａとボイスコイルボビン４に接合する後段部１３ｂからなる結合部材１３と、後段部１３ｂに接合したダンパー部２２と、ダンパー支持部２３からなっている。振動板２に接合する前段部１３ａは細長形状（例えば、トラック形状、長円形状など）の振動板２に合わせて細長形状にて形成され、前段部１３ａに接合した後段部１３ｂはボイスコイル４ａが巻回された円筒状のボイスコイルボビン４を接合するため、円環形状に形成されている。
【００１６】
ダンパー部２２は後段部１３ｂに接合する直線部２２ｂと、直線部２２ｂに連接する可動部２２ａから構成され、可動部２２ａがダンパーとして機能する。直線部２２ｂは板状にて形成され、後段部１３ｂの端面１３ｃと接合しており、直線部２２ｂに連接する可動部２２ａは板状の部材が波型にて形成され、この波型の箇所が可動してダンパーとして機能する。可動部２２ａの一端は直線部２２ｂに連接し、他方端はダンパー支持部２３に接合している。前段部１３ａ、後段部１３ｂ、直線部２２ｂ、可動部２２ａ及びダンパー支持部２３は樹脂の射出成型にて一体に形成されている。そして、後段部１３ｂと直線部２２ｂとの接合には、フィレットによる曲面部２２ｃが４箇所設けられている。
【００１７】
図３は振動板２の裏面にダンパー構造体２１を接合した状態を説明するための図で、便宜上、ダンパー構造体２１の内、結合部材１３のみを示している。図３に示すように、振動板２に接合する前段部１３ａは細長形状で、細長形状の前段部１３ａの短径側の寸法は振動板２の短径側の寸法と同じ、または小さい寸法に設定されて接合される。前段部１３ａと振動板２との接合は前段部１３ａの端面に塗布された接着剤にて接合する。そして、前段部１３ａに接合した後段部１３ｂは円環形状で、図３に示すように後段部１３ｂの内径は振動板２の短径側寸法の制約を受けることなく、振動板２の短径側寸法より大径にすることができる。
【００１８】
図４は図３に示す振動板２に結合部材１３を示した状態にボイスコイル４ａが巻回されたボイスコイルボビン４を接合した状態を示した図である。図４に示すように、ボイスコイル４ａが巻回されたボイスコイルボビン４は円筒形状で、円筒形状のボイスコイルボビン４の一方側を円環形状の後段部１３ｂに嵌入させ、後段部１３ｂの内周に装着させる。このとき、ボイスコイルボビン４の端面は前段部１３ａに当接して位置決めがなされる。ボイスコイルボビン４と後段部１３ｂとの接合は接着剤などによって接合される。
【００１９】
したがって、図４に示すように、ボイスコイル４ａの径は振動板２の短径側寸法の制約を受けることなく、振動板２の短径側寸法より大径にすることができる結果、高耐入力とすることができる。
【００２０】
また、ボイスコイルボビン４は特許文献１に記載のスピーカのようなボイスコイルの上端を切り欠く作業やボイスコイルと振動板との接合に際し、所定の位置合わせを行なう必要がないため、作業性が改善され、作業効率を向上することができる。
【００２１】
さらに、図２に示すようにダンパー構造体２１は後段部１３ｂと直線部２２ｂとの接合箇所にフィレットによる曲面部２２ｃが設けられている。この曲面部２２ｃは直線部２２ｂに形成され、可動部２２ａの領域には形成されない。この後段部１３ｂと直線部２２ｂとの接合箇所に曲面部２２ｃを形成することにより、後段部１３ｂと直線部２２ｂとの接合を強固にすることできる。このため、高入力信号がボイスコイル４ａに入力された場合であっても、後段部１３ｂと直線部２２ｂとの接合箇所での剥離や破損が生じることはない。
【００２２】
特に、スピーカ１が小型の場合、直線部２２ｂの幅寸法が小さくなるため、曲面部２２ｃの形成は後段部１３ｂと直線部２２ｂとの接合強度を向上できるため有効である。この後段部１３ｂと直線部２２ｂとの接合箇所に形成する曲面部２２ｃはダンパー構造体２１の成型時に同時に形成される。
【００２３】
なお、フィレットによる曲面部２２ｃが可動部２２ａの領域に形成された場合、可動部２２ａのスティフネスが大きく変化してしまう結果、スピーカ１の最低共振周波数が変化してしまうため、好ましくない。
【００２４】
＜実施例２＞
図５は本発明の実施例２の形態に係るスピーカにおけるダンパー構造体を示す斜視図、図６は本発明の実施例２の形態に係るスピーカの短径方向断面図、図７は図６に示すＡ部の拡大図で、結合部材１３の後段部１３ｂとダンパー部２２の直線部２２ｂの接合箇所を示した図である。
【００２５】
図５に示す実施例２の形態に係るダンパー構造体３１と図２に示す実施例１の形態に係るダンパー構造体２１とは後段部１３ｂと直線部２２ｂとの接合状態が相違する。
【００２６】
なお、共通する部材は同じ引用符号を付して説明は適宜省略する。
【００２７】
図２に示す実施例１の形態に係るダンパー構造体２１においては、直線部２２ｂは結合部材１３の後段部１３ｂの端面１３ｃと接合した構成であるが、図５に示す実施例２の形態に係るダンパー構造体３１では、直線部２２ｂが結合部材１３の後段部１３ｂの外周面１３ｄと接合した構成となっている。実施例１と同様、結合部材１３の後段部１３ｂと直線部２２ｂとの接合箇所に曲面部２２ｃが形成されるが、特に図７に示すように、直線部２２ｂの平面上に曲面部２２ｃが形成される。結合部材１３の後段部１３ｂと直線部２２ｂは樹脂の射出成型にて一体に形成されるため境はないが、図７では説明のため、結合部材１３の後段部１３ｂと直線部２２ｂの境を破線で示している。実施例２も実施例１と同様の効果を奏する。
【００２８】
なお、実施形態の説明では、ボイスコイルを２個備えたスピーカ構造について説明したが、これに限定されるものではなく、ボイスコイルを１個備えた細長形スピーカであっても勿論よい。
【符号の説明】
【００２９】
１          スピーカ
２          振動板
３          エッジ
４          ボイスコイルボビン
４ａ        ボイスコイル
６          フレーム
７          磁気回路
９          ポールピース
１０        マグネット
１２        ポットヨーク
１３        結合部材
１３ａ      前段部
１３ｂ      後段部
１３ｃ      端面
１３ｄ      外周面
２１、３１  ダンパー構造体
２２        ダンパー部
２２ａ      可動部
２２ｂ      直線部
２２ｃ      曲面部
２３        ダンパー支持部
【図１】
2012257096.tif 000003
【図２】
2012257096.tif 000004
【図３】
2012257096.tif 000005
【図４】
2012257096.tif 000006
【図５】
2012257096.tif 000007
【図６】
2012257096.tif 000008
【図７】
2012257096.tif 000009